(57)【要約】【課題】通信システムなどを構成する各装置を端子またはコネクタを介してケーブルで接続する際に短時間で接続することができ、ケーブルの接続変更を行った際の配線情報をミス無く短時間で作成することができる配線支援システムを提供する。【解決手段】接続誘導制御部６４の制御によって、光送信部５１からＬＥＤ制御信号を互いに接続される各コネクタへ送信して各コネクタのＬＥＤを発光させる。また、接続状態判定部５５によって、本来接続されるべきコネクタ同士が接続されていないことを検出し、その未接続状態のコネクタのＬＥＤを発光させる。さらに、実配線データ生成部５８で、光送受信部５２での受信信号が通過したコネクタの固有データから実配線データを生成し、照合部５６で、その実配線データともとの配線データとを照合して双方の一致または不一致を認識し、不一致と認識されたコネクタのＬＥＤを発光させる。【選択図】      図１
2004208039.tif 000002
【特許請求の範囲】
【請求項１】
予め定められた装置が接続される複数の接続手段のうち、所定の接続手段同士をケーブルで接続する際に、その接続の誘導を行う配線支援システムにおいて、
前記複数の接続手段の各々に設けられ、発光する発光手段と、
前記複数の接続手段に信号を送信する送信手段と、
前記複数の接続手段の各々に割り当てられた固有情報を含んで、何れの接続手段を接続するかを指示する配線データを、記憶する記憶手段と、
前記記憶手段に記憶された配線データから互いに接続される接続手段の前記固有情報を認識した後、前記送信手段に対して、前記発光手段に発光を行わせる発光制御信号を前記認識された固有情報の接続手段へ送信する制御を行う第１の制御手段と
を備えたことを特徴とする配線支援システム。
【請求項２】
前記複数の接続手段のうち互いに接続される一方の接続手段に接続され、当該接続手段を通過した信号を受信する受信手段と、
前記記憶手段に記憶された前記配線データにもとづき前記送信手段から送信された信号を、互いにケーブル接続された接続手段を介して前記受信手段で受信させる送受信制御を行う第２の制御手段と、
前記送受信制御が行われた際に、前記受信手段における信号の未受信を検出した際に、前記送受信制御の際に参照された前記配線データから認識される接続対象の接続手段同士が、未接続状態であると判定する判定手段とを備え、
前記第１の制御手段は、前記送信手段に対して、前記判定手段で判定された未接続状態の接続手段へ前記発光制御信号を送信する制御を行う
ことを特徴とする請求項１に記載の配線支援システム。
【請求項３】
前記送受信制御が行われた際に、前記受信手段での信号の受信を検出した場合、その受信信号が通過した接続手段の前記固有情報から実配線データを生成する生成手段と、
前記生成手段で生成された前記実配線データと、前記送受信制御の際に参照された前記配線データとを照合して双方の一致または不一致を認識する照合手段とを備え、
前記第１の制御手段は、前記送信手段に対して、前記照合手段で不一致と認識された前記実配線データで示される接続手段へ前記発光制御信号を送信する制御を行う
ことを特徴とする請求項１または２に記載の配線支援システム。
【請求項４】
前記照合手段で一致と認識された前記実配線データを、前記記憶手段に記憶する制御を行う第３の制御手段
を備えたことを特徴とする請求項１から３の何れか１項に記載の配線支援システム。
【請求項５】
前記第３の制御手段は、前記照合手段で一致と認識された前記実配線データを、この実配線データに対応する前記記憶手段に記憶された配線データに上書きする制御を行う
ことを特徴とする請求項４項に記載の配線支援システム。
【請求項６】
前記第３の制御手段は、前記生成手段で生成された前記実配線データを、前記記憶手段に記憶する制御を行う
ことを特徴とする請求項１から３の何れか１項に記載の配線支援システム。
【請求項７】
前記記憶手段に記憶された前記実配線データから配線図を作成する作成手段
を備えたことを特徴とする請求項４から６の何れか１項に記載の配線支援システム。
【請求項８】
前記判定手段による未接続状態と、前記照合手段による一致または不一致の状態と、前記作成手段で作成された配線図との少なくとも１つを表示する表示手段
を備えたことを特徴とする請求項２，３，７の何れか１項に記載の配線支援システム。
【請求項９】
前記接続手段は、コネクタ、端子、およびアダプタのうち少なくとも１つである
ことを特徴とする請求項１から８の何れか１項に記載の配線支援システム。
【発明の詳細な説明】
【０００１】
【発明の属する技術分野】
本発明は、通信システムや工場設備などを構成する各装置を端子またはコネクタを介してケーブルで接続する際に、その接続の誘導や接続確認および変更などの支援を行う配線支援システムに関する。
【０００２】
【従来の技術】
通信システムなどを構成する所定の装置が接続される端子またはコネクタ間のケーブル配線を支援するシステムとしては、下記に示す特許文献１に記載されたケーブルの誤接続防止回路がある。この回路は、ケーブルの誤接続と接続不良を短時間で確認可能とするものであり、次のように構成されている。
【０００３】
装置を接続するコネクタ同士がケーブル接続された状態において、送信手段から一方のコネクタを介して、当該コネクタの接続先情報をケーブルへ送信する。この送信された接続先情報を、そのケーブルに接続された他方のコネクタを介して受信手段で受信する。そして、受信された接続先情報と、受信手段に予め設定された受信側コネクタ自体の情報とを比較し、この比較内容を表示して確認可能なように構成されている。
【０００４】
【特許文献１】
特開平５−１３４７９０号公報（第２−３頁、図１）
【０００５】
【発明が解決しようとする課題】
しかし、上述した特許文献１に記載の回路構成においては、コネクタを接続する場合、作業者自身が配線図などの配線情報を参照して実施しなければならないので、その接続に時間がかかり、接続対象のコネクタが多ければ多いほど時間がかかるという問題がある。
【０００６】
また、ケーブル接続後に接続変更を行った場合、実際の配線ともとの配線情報とが異なるので、配線情報を作成し直さなければならず、この作業に時間がかかったり、配線情報の変更にミスが生じたりするという問題がある。
これらの問題は、所定の装置が接続される端子間をケーブルで接続する場合も同様に生じる。
【０００７】
本発明は、このような課題に鑑みてなされたものであり、通信システムなどを構成する各装置を端子またはコネクタを介してケーブルで接続する際に短時間で接続することができ、ケーブルの接続変更を行った際の配線情報をミス無く短時間で作成することができる配線支援システムを提供することを目的としている。
【０００８】
【課題を解決するための手段】
上記目的を達成するために、本発明の請求項１による配線支援システムは、予め定められた装置が接続される複数の接続手段のうち、所定の接続手段同士をケーブルで接続する際に、その接続の誘導を行う配線支援システムにおいて、前記複数の接続手段の各々に設けられ、発光する発光手段と、前記複数の接続手段に信号を送信する送信手段と、前記複数の接続手段の各々に割り当てられた固有情報を含んで、何れの接続手段を接続するかを指示する配線データを、記憶する記憶手段と、前記記憶手段に記憶された配線データから互いに接続される接続手段の前記固有情報を認識した後、前記送信手段に対して、前記発光手段に発光を行わせる発光制御信号を前記認識された固有情報の接続手段へ送信する制御を行う第１の制御手段とを備えたことを特徴としている。
【０００９】
この構成によれば、第１の制御手段の制御によって、送信手段から発光制御信号を互いに接続される各接続手段へ送信することにより、各接続手段の発光手段を発光させるようにしたので、複数の接続手段の中から何れの接続手段をケーブル接続すればよいかを瞬時に誤り無く認識することができる。
また、本発明の請求項２の配線支援システムは、請求項１において、前記複数の接続手段のうち互いに接続される一方の接続手段に接続され、当該接続手段を通過した信号を受信する受信手段と、前記記憶手段に記憶された前記配線データにもとづき前記送信手段から送信された信号を、互いにケーブル接続された接続手段を介して前記受信手段で受信させる送受信制御を行う第２の制御手段と、前記送受信制御が行われた際に、前記受信手段における信号の未受信を検出した際に、前記送受信制御の際に参照された前記配線データから認識される接続対象の接続手段同士が、未接続状態であると判定する判定手段とを備え、前記第１の制御手段は、前記送信手段に対して、前記判定手段で判定された未接続状態の接続手段へ前記発光制御信号を送信する制御を行うことを特徴としている。
【００１０】
この構成によれば、本来接続されるべき接続手段同士が接続されていないことを検出し、その未接続状態の接続手段の発光手段を発光させることができるので、接続手段のケーブル接続後に、複数の接続手段の中から未接続状態の接続手段を瞬時に認識することができる。
また、本発明の請求項３の配線支援システムは、請求項１または２において、前記送受信制御が行われた際に、前記受信手段での信号の受信を検出した場合、その受信信号が通過した接続手段の前記固有情報から実配線データを生成する生成手段と、前記生成手段で生成された前記実配線データと、前記送受信制御の際に参照された前記配線データとを照合して双方の一致または不一致を認識する照合手段とを備え、前記第１の制御手段は、前記送信手段に対して、前記照合手段で不一致と認識された前記実配線データで示される接続手段へ前記発光制御信号を送信する制御を行うことを特徴としている。
【００１１】
この構成によれば、誤って接続された接続手段の発光手段を発光させることができるので、接続手段のケーブル接続後に、複数の接続手段の中から誤接続状態の接続手段を瞬時に認識することができる。
また、本発明の請求項４の配線支援システムは、請求項１から３の何れか１項において、前記照合手段で一致と認識された前記実配線データを、前記記憶手段に記憶する制御を行う第３の制御手段を備えたことを特徴としている。
【００１２】
この構成によれば、配線が正しいことが検証された実配線データを記憶しておくことができるので、後の配線作業に活用することが可能となる。
また、本発明の請求項５の配線支援システムは、請求項４において、前記第３の制御手段は、前記照合手段で一致と認識された前記実配線データを、この実配線データに対応する前記記憶手段に記憶された配線データに上書きする制御を行うことを特徴としている。
【００１３】
この構成によれば、配線が正しいことが検証された実配線データを上書きしておくことができるので、配線変更を行った場合、その変更後の実配線と、記憶手段に記憶された配線データとを、常に一致状態にすることができる。
また、本発明の請求項６の配線支援システムは、請求項１から３の何れか１項において、前記第３の制御手段は、前記生成手段で生成された前記実配線データを、前記記憶手段に記憶する制御を行うことを特徴としている。
【００１４】
この構成によれば、新たに配線を行った場合などに、その実配線データを記憶しておくことができるので、後の配線作業に活用することが可能となる。
また、本発明の請求項７の配線支援システムは、請求項４から６の何れか１項において、前記記憶手段に記憶された前記実配線データから配線図を作成する作成手段を備えたことを特徴としている。
【００１５】
この構成によれば、実際の配線状態で配線図を作成することができる。
また、本発明の請求項８の配線支援システムは、請求項２，３，７の何れか１項において、前記判定手段による未接続状態と、前記照合手段による一致または不一致の状態と、前記作成手段で作成された配線図との少なくとも１つを表示する表示手段を備えたことを特徴としている。
【００１６】
この構成によれば、接続手段の未接続状態、誤接続状態、正常接続状態並びに、実際の配線状態に対応した配線図の何れかを表示して、確認することができる。
また、本発明の請求項９の配線支援システムは、請求項１から８の何れか１項において、前記接続手段は、コネクタ、端子、およびアダプタのうち少なくとも１つであることを特徴としている。
この構成によれば、接続手段が、コネクタ、端子、およびアダプタの何れかであっても上記同様の作用効果を得ることができる。
【００１７】
【発明の実施の形態】
以下、本発明の実施の形態を、図面を参照して説明する。
（実施の形態）
図１は、本発明の実施の形態に係る配線支援システムの構成を示すブロック図である。
【００１８】
図１に示す配線支援システムは、通信システムを構成する第１〜第ｎの装置１１−１〜１１−ｎを、第１〜第ｎのコネクタ２１−１〜２１−ｎを介して光ファイバケーブル３１〜３３で接続（配線）する際に、その接続の支援を行うものである。
ただし、各装置１１−１〜１１−ｎは予め対応するコネクタ２１−１〜２１−ｎに接続されているものとする。また、光ファイバケーブル３１〜３３の両端には、各コネクタ２１−１〜２１−ｎにオスメス関係で対となって接続される図示せぬコネクタが接続されているものとする。また、各コネクタ２１−１〜２１−ｎを、アダプタと呼ぶ場合もある。
【００１９】
また、図面上では各装置１１−１〜１１−ｎと各コネクタ２１−１〜２１−ｎとがケーブル接続されている状態を表しているが、各装置１１−１〜１１−ｎと各コネクタ２１−１〜２１−ｎとが直接接続される構成であってもよい。図面には、第１〜第ｎの装置１１−１〜１１−ｎとして、第１の装置１１−１、第２の装置１１−２、第５の装置１１−５、第６の装置１１−６、第ｍの装置１１−ｍ、第ｎの装置１１−ｎを代表して示した。従って、各コネクタ２１−１〜２１−ｎは、それらの装置１１−１〜１１−ｎに接続されたものが示してある。
【００２０】
本配線支援システムの特徴は、各コネクタ２１−１〜２１−ｎに後述する光合分波構造およびＬＥＤ（発光ダイオード）４１−１〜４１−ｎを備え、さらに、光送信部５１と、光送受信部５２と、光送受信制御部５４と、接続状態判定部５５と、照合部５６と、実配線データ生成部５８と、記憶制御部５９と、配線図作成部６０と、表示制御部６１と、表示部６２と、接続誘導制御部６４と、配線データ記憶部６６とを備えて構成したことにある。
【００２１】
光合分波構造とは、各コネクタ２１−１〜２１−ｎにおける本来の装置間の光信号伝送路に、他の光信号を合波または分波するための経路を光学的に接続した構造である。その合波または分波するための経路に、光送信部５１または光送受信部５２が光ファイバケーブルで接続されている。
配線データ記憶部６６は、各装置１１−１〜１１−ｎをコネクタ２１−１〜２１−ｎを介して接続するための配線データを記憶するものである。
【００２２】
配線データとは、図１に示すように、各装置１１−１〜１１−ｎの固有データ「１」〜「ｎ」を接続先のコネクタ２１−１〜２１−ｎに割り当て、この固有データ「１」〜「ｎ」をもとに、どのコネクタ２１−１〜２１−ｎ同士を接続するかを示すデータである。
例えば、配線データは、第１のコネクタ２１−１と第６のコネクタ２１−６とを接続することを示す場合は「１−６」であり、第５のコネクタ２１−５と第２のコネクタ２１−２とを接続することを示す場合は「５−２」であり、第ｍのコネクタ２１−ｍと第ｎのコネクタ２１−ｎとを接続することを示す場合は「ｍ−ｎ」であるとする。
【００２３】
光送受信制御部５４は、配線データ記憶部６６に記憶された配線データを読み込み、この配線データから接続対象である送信側のコネクタを認識し、光送信部５１に、光信号を送信側のコネクタへ送信させると共に、光送受信部５２に、その光信号を受信させる制御（以下、光送受信制御という）を行うものである。
また、光送受信制御部５４は、光送受信制御の後に光送受信部５２で光信号が受信されたことを検出すると、その光信号が通過した各コネクタの固有データを認識し、この各固有データを実配線データ生成部５８へ出力する。なお、光送受信制御部５４では、光送信部５１からどのコネクタへ光信号が送信され、この光信号がどのコネクタを介して光送受信部５２で受信されたかを認識することができるので、光信号が通過した各コネクタの固有データを知ることができる。
【００２４】
接続状態判定部５５は、光送受信制御部５４から光送受信制御の実行が通知されている際に、光送受信部５２で全ての受信側のコネクタからの光信号が受信されなかったことを検出すると、接続されるべき各コネクタが接続されていないと判定し、その各コネクタが未接続状態であることを示す情報と共に各コネクタの固有データを未接続結果データとして、表示制御部６１へ出力するものである。なお、未接続状態とは、本来接続されるべきコネクタ同士が導通状態に接続されてない状態を示す。例えば、コネクタとケーブルとの接続箇所の導通不良、コネクタまたはケーブル自体の導通不良である。
【００２５】
実配線データ生成部５８は、光送受信制御部５４から入力された各固有データにもとづき、実配線データ（実際の配線データ）を生成し、この実配線データを照合部５６および記憶制御部５９へ出力するものである。その生成は次のように行われる。例えば、各固有データが「１」と「６」であった場合、実配線データ「１−６」を生成する。
【００２６】
照合部５６は、光送受信制御を行う際に参照されている配線データと、実配線データ生成部５８で生成された実配線データとを照合することによって、配線データと実配線データとが一致または不一致であることを判定し、この照合結果データを、記憶制御部５９および表示制御部６１へ出力するものである。つまり、不一致の場合は、配線データに示される本来接続されるべきコネクタ同士が接続されておらず、他のコネクタと接続されていることになる。これを、誤接続という。
【００２７】
記憶制御部５９は、照合部５６からの照合結果データが一致を示す場合に、実配線データ生成部５８で生成された実配線データを配線データ記憶部６６に記憶する。この記憶は、実配線データを得るもととなった配線データに上書きしてもよく、実配線データの記憶領域を別に設けて記憶するようにしてもよい。ここでは、上書きされるものとする。
【００２８】
配線図作成部６０は、配線データ記憶部６６に記憶された配線データから支援対象の通信システム全体または一部の配線図を作成し、この配線図データを表示制御部６１へ出力するものである。
表示制御部６１は、接続状態判定部５５の未接続結果データをもとに、接続対象のコネクタが未接続状態であることを、表示部６２に表示する。また、照合部５６の照合結果データをもとに、実配線されたコネクタ同士が正常接続か、誤接続かを表示する。さらに、配線図作成部６０で作成された配線図データをもとに、通信システム全体または一部の配線図を表示するものである。
【００２９】
接続誘導制御部６４は、コネクタの接続を誘導する制御（以下、接続誘導制御という）を行うものである。この接続誘導制御は、次のように行う。全てのコネクタ２１−１〜２１−ｎが接続されていない状態において、各コネクタ２１−１〜２１−ｎの接続を行う場合は、配線データ記憶部６６から配線データを順次読み込み、この配線データで示される接続対象の各コネクタへ、光送信部５１および光送受信部５２を介して、ＬＥＤ制御信号を送信する。ＬＥＤ制御信号とは、各コネクタ２１−１〜２１−ｎに設けられたＬＥＤ４１−１〜４１−ｎを点滅（または点灯）させるための信号である。
【００３０】
また、接続誘導制御部６４は、接続状態判定部５５から入力される未接続結果データにもとづき、接続誘導制御を行う場合、その未接続結果データから未接続状態の各コネクタの固有データを認識し、この認識された各固有データのコネクタへ、光送信部５１および光送受信部５２を介して、ＬＥＤ制御信号を送信する。
【００３１】
さらに、接続誘導制御部６４は、照合部５６の照合結果データが不一致を示す場合に、その不一致となった実配線データ生成部５８からの実配線データから誤接続の各コネクタの固有データを認識し、この認識された各固有データのコネクタへ、光送信部５１および光送受信部５２を介して、ＬＥＤ制御信号を送信する。
【００３２】
このような構成の配線支援システムの動作を説明する。
最初に、図２のフローチャートを参照して、接続対象であるコネクタ間の未接続状態および誤接続状態を検出する処理を説明する。ただし、各コネクタ２１−１〜２１−ｎは、作業者が配線図を見ながら接続した状態にあるとする。
ステップＳ１において、光送受信制御部５４により光信号の送受信制御が行われる。まず、配線データ記憶部６６に記憶された配線データが読み込まれ、接続対象である送信側のコネクタが認識される。例えば、読み込まれた配線データが「１−６」であるとすると、この内容から送信側のコネクタが、固有データ「１」のコネクタ２１−１であると認識される。この認識後、光送信部５１からコネクタ２１−１へ光信号が送信される。
【００３３】
ステップＳ２では、接続状態判定部５５において、光送受信制御部５４から光送受信制御の実行が通知されている際に、光送受信部５２で光信号が受信されたか否かが判定される。この結果、受信されなかったと判定されると、ステップＳ３に示すように、接続状態判定部５５において接続対象のコネクタ２１−１とコネクタ２１−６とが接続されていないと認識される。この場合、コネクタ２１−１とコネクタ２１−６とが未接続状態であることを示す情報と共に固有データ「１」および「６」が未接続結果データとして、表示制御部６１へ出力される。
【００３４】
そして、ステップＳ４において、その未接続結果データを受けた表示制御部６１の制御により、接続対象のコネクタ２１−１とコネクタ２１−６が未接続状態であることが、表示部６２に表示される。
この未接続状態の場合、ステップＳ５に示すように、未接続状態のコネクタを接続するための誘導を行う。まず、接続誘導制御部６４において、接続状態判定部５５から入力される未接続結果データから未接続状態の各コネクタの固有データ「１」と「６」が認識される。そして、接続誘導制御部６４の制御によって、その認識されたコネクタ２１−１とコネクタ２１−６へ、光送信部５１および光送受信部５２からＬＥＤ制御信号が送信される。
【００３５】
一方、ステップＳ２において、光送受信部５２で光信号が受信されたと判定された場合、ステップＳ６に示すように、光送受信制御部５４において、その受信された光信号が通過したコネクタの固有データが認識される。そして、その認識された各固有データが実配線データ生成部５８へ出力される。
次に、ステップＳ７では、実配線データ生成部５８において、光送受信制御部５４から入力された各固有データにもとづき、実配線データが生成される。例えば、各固有データが「１」と「６」であった場合、実配線データの「１−６」が生成される。
【００３６】
ステップＳ８では、照合部５６において、その実配線データ「１−６」と、光送受信制御を行う際に参照された配線データ（もとの配線データ）「１−６」とが照合される。この照合の結果、ステップＳ９に示すように、照合部５６において、実配線データともとの配線データとが一致か、不一致かが判定される。
この結果が一致であれば、ステップＳ１０において、照合部５６から一致を示す照合結果データが記憶制御部５９へ出力され、記憶制御部５９の制御によって実配線データ生成部５８で生成された実配線データ「１−６」が配線データ記憶部６６に記憶される。この記憶は、実配線データ「１−６」を得るもととなった配線データ「１−６」に上書きされる。
【００３７】
さらに、ステップＳ１１において、照合部５６から一致を示す照合結果データが表示制御部６１へ出力され、その照合結果データをもとにした表示制御によって、実配線されたコネクタ２１−１とコネクタ２１−６とが正常に接続されていることが表示される。
一方、ステップＳ９の照合結果が不一致であったとする。これは、光送受信部５２で受信された光信号の通過コネクタが本来接続されるべきコネクタ２１−１とコネクタ２１−６ではなく、例えばコネクタ２１−１とコネクタ２１−２であるようなケースである。この場合、ステップＳ６において、それらの固有データの「１」と「２」が認識され、ステップＳ７において、実配線データ「１−２」が生成される。従って、ステップＳ８において、その実配線データ「１−６」ともとの配線データ「１−６」とが照合されると、ステップＳ９における照合結果が不一致となる。
【００３８】
この場合、ステップＳ１２において、照合部５６から不一致を示す照合結果データが表示制御部６１へ出力され、その照合結果データをもとにした表示制御によって、本来接続されるべきコネクタ２１−１とコネクタ２１−６とが接続されておらず、誤ってコネクタ２１−１とコネクタ２１−２とが接続されていることが表示される。
【００３９】
この誤接続状態の場合、ステップＳ１３に示すように、誤接続のコネクタを正常に接続し直すための誘導を行う。接続誘導制御部６４において、照合部５６の照合結果データが不一致を示すので、実配線データ生成部５８の不一致となった実配線データ「１−２」から誤接続の各コネクタの固有データ「１」と「２」を認識する。そして、接続誘導制御部６４の制御によって、その認識された各固有データ「１」と「２」のコネクタ２１−１とコネクタ２１−２へ、光送信部５１および光送受信部５２からＬＥＤ制御信号が送信される。
【００４０】
ステップＳ５およびＳ１３の接続誘導制御によって、ステップＳ１４に示すように、接続の修正を行った後は、ステップＳ１に戻り、その修正された接続に関わる配線データのみを読み出して、ステップＳ１１に示す正常接続が確認されるまで、上記と同じ処理を繰り返す。
また、フローチャートには示さないが、正常接続が確認された後は、配線図作成部６０によって、配線データ記憶部６６に記憶された配線データから支援対象の通信システム全体または一部の配線図を作成し、この配線図データを表示制御部６１の制御によって表示部６２に表示する。
【００４１】
この他、全てのコネクタ２１−１〜２１−ｎが接続されていない初期状態では、接続誘導制御部６４によって、配線データ記憶部６６から配線データを順次読み込み、この配線データで示される接続対象の各コネクタへ、光送信部５１および光送受信部５２を介して、ＬＥＤ制御信号を送信する。これによって、接続対象のコネクタのＬＥＤ４１−１〜４１−ｎが順次点滅するので、それに従って接続を行えばよい。
【００４２】
このような本実施の形態の配線支援システムによれば、接続誘導制御部６４の制御によって、光送信部５１からＬＥＤ制御信号を互いに接続される各コネクタへ送信することにより、各コネクタのＬＥＤを発光させるようにしたので、複数のコネクタの中から何れのコネクタをケーブル接続すればよいかを瞬時に誤り無く認識することができる。従って、通信システムなどを構成する各装置１１−１〜１１−ｎを、コネクタ２１−１〜２１−ｎを介して光ファイバケーブル３１〜３３で接続する際に短時間で接続することができる。
【００４３】
また、接続状態判定部５５によって、本来接続されるべきコネクタ同士が接続されていないことを検出し、その未接続状態のコネクタのＬＥＤを発光させることができるので、コネクタのケーブル接続後に、複数のコネクタの中から未接続状態のコネクタを瞬時に認識することができる。
また、実配線データ生成部５８で、光送受信部５２での受信信号が通過したコネクタの固有データから実配線データを生成し、照合部５６で、その実配線データと、もとの配線データとを照合して双方の一致または不一致を認識し、接続誘導制御部６４によって、不一致と認識された実配線データで示されるコネクタへＬＥＤ制御信号を送信するようにしたので、誤って接続されたコネクタのＬＥＤを発光させることができる。従って、コネクタのケーブル接続後に、複数のコネクタの中から誤接続状態のコネクタを瞬時に認識することができる。
【００４４】
また、記憶制御部５９で、配線が正しいことが検証された実配線データを記憶しておくことができるので、後の配線作業に活用することが可能となる。従って、ケーブルの接続変更を行った際の配線情報をミス無く短時間で作成することができる。
また、記憶制御部５９で、配線が正しいことが検証された実配線データを上書きしておくことができるので、配線変更を行った場合、その変更後の実配線と、配線データ記憶部６６に記憶された配線データとを、常に一致状態にすることができる。
【００４５】
また、配線図作成部６０によって、配線データ記憶部６６に記憶された実配線データから配線図を作成するようにしたので、常に、実際の配線状態で配線図を作成することができる。
また、表示制御部６１によって、上記の接続状態判定部５５による未接続状態と、照合部５６による一致または不一致の状態と、配線図作成部６０で作成された配線図とを、表示部６２に表示するようにしたので、コネクタの未接続状態、誤接続状態、正常接続状態並びに、実際の配線状態に対応した配線図の何れかを表示して、確認することができる。
【００４６】
この他、実配線データ生成部５８で生成した実配線データを、照合部５６での照合を行わず、そのまま直接、配線データ記憶部６６の別記憶領域に記憶するようにしてもよい。この場合、新たに配線を行った場合などに、その実配線データを記憶しておくことができるので、後の配線作業に活用することが可能となる。
以上説明した実施の形態の配線支援システムは、各装置１１−１〜１１−ｎがコネクタ２１−１〜２１−ｎに接続されることを前提としたが、各コネクタ２１−１〜２１−ｎが、同様にＬＥＤを有する光合分波構造の端子であっても、同様の効果を得ることができる。
【００４７】
また、本配線支援システムは、交換機にも適用可能である。この場合、各コネクタ２１−１〜２１−ｎまたは端子が、配線架に固定された構成となる。このような交換機においても、上記同様の効果を得ることが可能となる。
さらに、各装置１１−１〜１１−ｎが、コネクタ２１−１〜２１−ｎを介して光ファイバケーブル３１〜３３で接続され、光信号で通信する構成を前提としたが、同軸ケーブルなどのメタルケーブルを用いて電気信号で通信する構成であっても、本配線支援システムを同様に適用することができる。
【００４８】
【発明の効果】
以上説明したように本発明は、送信手段から発光制御信号を、互いに接続される各接続手段（または端子）へ送信することにより、各接続手段に設けられた発光手段を発光させるようにしたので、複数の接続手段の中から何れの接続手段をケーブル接続すればよいかを瞬時に誤り無く認識することができる。従って、通信システムなどを構成する各装置を、接続手段を介してケーブルで接続する際に短時間で接続することができる。
【００４９】
また、本来接続されるべき接続手段同士が接続されていないことを検出し、その未接続状態の接続手段の発光手段を発光させることができるので、接続手段のケーブル接続後に、複数の接続手段の中から未接続状態の接続手段を瞬時に認識することができる。
また、送受信制御を行った際に、受信信号が通過した接続手段の固有データから実配線データを生成し、その実配線データともとの配線データとを照合して双方の一致または不一致を認識し、不一致と認識された実配線データで示される接続手段のＬＥＤを発光させるようにしたので、接続手段のケーブル接続後に、複数の接続手段の中から誤接続状態の接続手段を瞬時に認識することができる。
また、配線が正しいことが検証された実配線データを記憶しておくことができるので、後の配線作業に活用することが可能となる。従って、ケーブルの接続変更を行った際の配線情報をミス無く短時間で作成することができる。
【図面の簡単な説明】
【図１】本発明の実施の形態に係る配線支援システムの構成を示すブロック図である。本発明による  の実施の一形態を示すブロック図である。
【図２】上記配線支援システムの動作を説明するためのフローチャートである。
【符号の説明】
１１−１〜１１−ｎ１  装置
２１−１〜２１−ｎ  コネクタ
３１〜３３  光ファイバケーブル
４１−１〜４１−ｎ  ＬＥＤ
５１  光送信部
５２  光送受信部
５４  光送受信制御部
５５  接続状態判定部
５６  照合部
５８  実配線データ生成部
５９  記憶制御部
６０  配線図作成部
６１  表示制御部
６２  表示部
６４  接続誘導制御部
６６  配線データ記憶部
【図１】
2004208039.tif 000003
【図２】
2004208039.tif 000004